(57)【要約】【課題】セキュリティを低下させることなく簡単な操作で使用者に応じた動作制御を行う電子機器を提供すること。【解決手段】近距離無線通信媒体と通信可能な通信手段と、前記通信手段と通信した近距離無線通信媒体に関連付けられたユーザを特定する特定手段と、前記特定手段により同一のユーザに関連付けられた近距離無線通信媒体と特定された近距離無線通信媒体の数を計測する計測手段と、前記特定手段によって特定されたユーザと前記計測手段によって計測された近距離無線通信媒体の数とに基づいて所定の処理を実行する実行手段と、を備える。【選択図】図１
2014115782.tif 000002
【特許請求の範囲】
【請求項１】
近距離無線通信媒体と通信可能な通信手段と、
前記通信手段と通信した近距離無線通信媒体に関連付けられたユーザを特定する特定手段と、
前記特定手段により同一のユーザに関連付けられた近距離無線通信媒体と特定された近距離無線通信媒体の数を計測する計測手段と、
前記特定手段によって特定されたユーザと前記計測手段によって計測された近距離無線通信媒体の数とに基づいて所定の処理を実行する実行手段と、
を備える電子機器。
【請求項２】
前記計測手段は所定時間内に連続して前記通信手段と通信した近距離無線通信媒体が前記特定手段により同一のユーザに関連付けられた近距離無線通信媒体であると特定された場合に近距離無線通信媒体の数を計測する請求項１に記載の電子機器。
【請求項３】
前記実行手段は前記計測手段が計測した近距離無線通信媒体の数と前記特定手段によって特定されたユーザに関連付けられた近距離無線通信媒体の総数との差が所定値以下である場合に前記所定の処理を実行する請求項１又は請求項２に記載の電子機器。
【請求項４】
前記所定値は０である請求項３に記載の電子機器。
【請求項５】
前記実行手段は前記計測手段が計測した近距離無線通信媒体の数に応じて異なる処理を実行する請求項１又は請求項２に記載の電子機器。
【請求項６】
前記実行手段は前記通信手段と通信した近距離無線通信媒体の通信順序に応じて異なる処理を実行する請求項１〜請求項５のいずれか１項に記載の電子機器。
【請求項７】
前記所定の処理は動作制限の解除である請求項１〜請求項６のいずれか１項に記載の電子機器。
【請求項８】
前記動作制限はパレンタルロックである請求項７に記載の電子機器。
【請求項９】
近距離無線通信媒体はＮＦＣ規格のＩＣチップを備え、前記通信手段は前記ＩＣチップと双方向通信可能である請求項１〜請求項８のいずれか１項に記載の電子機器。
【発明の詳細な説明】
【技術分野】
【０００１】
本発明は、電子機器に関する。
【背景技術】
【０００２】
従来よりテレビ、レコーダ、パソコン等の電子機器は一台で複数人に共用されることがある。例えば家庭内でレコーダを共用すると、親であっても子であっても自由にレコーダを使用することが可能である。しかしながら暴力的なシーンが含まれる録画番組を子供に視聴させたくない等、特定人に対してレコーダの使用を一部制限したい場合がある。
【０００３】
そこで従来は特定の録画番組の再生に際してパスワード入力を要求するように設定し、当該パスワードを知らない者が特定の録画番組を視聴できないようにしていた。しかしながら、リモコン操作によりパスワード設定及びパスワード入力をすることは煩雑である。また、パスワードを忘れた場合にはパスワード設定者であってもその録画番組を視聴できなくなるといった不都合があった。
【０００４】
特許文献１には社員間で共用される複数のハンディ端末のうち、特定の従業員に特定のハンディ端末を使用させるために、ハンディ端末にＮＦＣ（近距離無線通信）カード（社員カード）の情報を読み取らせて、当該ハンディ端末の使用が許可されている社員である場合に使用可能とする管理システムが開示されている。
【先行技術文献】
【特許文献】
【０００５】
【特許文献１】特開２０１１−８４５８号公報
【発明の概要】
【発明が解決しようとする課題】
【０００６】
一枚のＮＦＣカードでユーザが誰かを特定し、当該ユーザに対応付けられた制御を行うこととすれば、パスワード設定やパスワード入力等の複雑な操作を行うことなく簡単にユーザに応じた制御が可能である。
【０００７】
一方で、一枚のＮＦＣカードのみでは当該ＮＦＣカードの置き忘れ等により他人が当該ＮＦＣカードの真の所有者の立場で電子機器を使用することが可能なり、セキュリティ上の問題が生じる。
【０００８】
本発明は上述した問題点に鑑み、セキュリティを低下させることなく簡単な操作でユーザに応じた制御を行う電子機器を提供することを目的とする。
【課題を解決するための手段】
【０００９】
上記目的を達成するために本発明の電子機器は、近距離無線通信媒体と通信可能な通信手段と、前記通信手段と通信した近距離無線通信媒体に関連付けられたユーザを特定する特定手段と、前記特定手段により同一のユーザに関連付けられた近距離無線通信媒体と特定された近距離無線通信媒体の数を計測する計測手段と、前記特定手段によって特定されたユーザと前記計測手段によって計測された近距離無線通信媒体の数とに基づいて所定の処理を実行する実行手段と、を備えることを特徴としている。
【００１０】
また上記構成の電子機器において、前記計測手段は所定時間内に連続して前記通信手段と通信した近距離無線通信媒体が前記特定手段により同一のユーザに関連付けられた近距離無線通信媒体であると特定された場合に近距離無線通信媒体の数を計測することが望ましい。
【００１１】
また上記構成の電子機器において、前記実行手段は前記計測手段が計測した近距離無線通信媒体の数と前記特定手段によって特定されたユーザに関連付けられ近距離無線通信媒体の総数との差が所定値以下である場合に前記所定の処理を実行することが望ましい。
【００１２】
また上記構成の電子機器において、前記所定値は０であることが望ましい。
【００１３】
また上記構成の電子機器において、前記実行手段は前記計測手段が計測した近距離無線通信媒体の数に応じて異なる処理を実行することが望ましい。
【００１４】
また上記構成の電子機器において、前記実行手段は前記通信手段と通信した近距離無線通信媒体の通信順序に応じて異なる処理を実行することが望ましい。
【００１５】
また上記構成の電子機器において、前記所定の処理は動作制限の解除であることが望ましい。
【００１６】
また上記構成の電子機器において、前記動作制限はパレンタルロックであることが望ましい。
【００１７】
また上記構成の電子機器において、近距離無線通信媒体はＮＦＣ規格のＩＣチップを備え、前記通信手段は前記ＩＣチップと双方向通信可能であることが望ましい。
【発明の効果】
【００１８】
本発明によれば、通信手段と近距離無線通信媒体とが通信した場合に、特定手段によってその近距離無線通信媒体に対応付けられたユーザが特定され、計測手段によって近距離無線通信媒体の数が計測される。実行手段は特定手段によって特定されたユーザと計測手段によって計測された近距離無線通信媒体の数に基づいて所定の処理を実行する。従ってユーザに応じて処理を実行することができる。その際、ユーザと近距離無線通信媒体の数に基づいて所定の処理を実行することで、ユーザのみに基づいて所定の処理が実行されるのに比べて、高いセキュリティを確保できる。
【図面の簡単な説明】
【００１９】
【図１】電子機器（レコーダ）の概略構成の一例を示すブロック図
【図２】ＮＦＣ通信部が本体筐体に設けられた状態を示す斜視図
【図３】ＮＦＣ通信部がリモコンに設けられた状態を示す平面図
【図４】ＮＦＣ媒体の数の計測方法を示す模式図
【図５】第１実施形態のレコーダの制御部が実行する処理を示すフローチャート
【図６】第２実施形態のレコーダの制御部が実行する処理を示すフローチャート
【図７】第３実施形態のレコーダの制御部が実行する処理を示すフローチャート
【図８】認証済みＮＦＣ媒体の通信順序に応じたユーザＸに対する処理の一例を示す表
【発明を実施するための形態】
【００２０】
＜第１実施形態＞
以下に本発明の電子機器について図面を参照して説明する。図１は本発明の電子機器の概略構成の一例を示すブロック図である。なお、本実施形態では電子機器１の一例であるレコーダを例に説明するがこれに限られるものではなく、テレビ、パソコン、携帯電話等の電子機器であってもよい。以下、「電子機器１」を「レコーダ１」と称することもある。
【００２１】
また、以下に示す実施形態は、本発明の技術的思想を具体化するためにレコーダの一例を示すものであって、本発明をこのレコーダに特定することを意図するものではなく、特許請求の範囲に含まれるその他の実施形態の装置にも等しく適応し得るものである。
【００２２】
本実施形態のレコーダ１は近距離無線通信媒体と近距離無線通信を行う。近距離無線通信としてはＮＦＣ（Ｎｅａｒ  Ｆｉｅｌｄ  Ｃｏｍｍｕｎｉｃａｔｉｏｎ）が広く利用されており、本実施形態ではＮＦＣを例に説明するが、赤外線通信等他の無線通信方式であってもよい。ＮＦＣにおいて近距離無線通信媒体はＮＦＣ対応のＩＣチップを搭載するカードや機器（以下、「近距離無線通信媒体」を「ＮＦＣ媒体」とも称する。）である。具体的には、夫々ＩＣチップを搭載する運転免許証、住民基本台帳カード、パスポート、電子マネーシステムに対応した媒体、ＩＣ乗車券、小売店のポイントカード、携帯電話、パソコン、家電を例として挙げることができる。
【００２３】
レコーダ１はリモコン受光部２、ＮＦＣ通信部３、フラッシュメモリ４、チューナ５、ハードディスク６、光学ドライブ７、Ａ／Ｖインターフェース８、制御部９を備える。
【００２４】
リモコン受光部２はレコーダ１を遠隔操作するためのリモコン（遠隔操作手段）１０からの制御信号を受光する受光手段である。本実施形態ではリモコン１０がレコーダ１本体とは別に構成されているが、リモコン１０に代えて、或いは、リモコン１０に加えてレコーダ１本体に操作部を設けることとしてもよい。
【００２５】
ＮＦＣ通信部３はＮＦＣ媒体と双方向通信を行う通信手段であり、無線通信方式は国際標準規格「ＩＳＯ／ＩＥＣ １４４４３」、「ＩＳＯ／ＩＥＣ １５６９３」や「ＩＳＯ／ＩＥＣ １８０９２」により規定される１３．５６ＭＨｚの周波数帯を使用した近距離無線通信方式である。
【００２６】
ＮＦＣ通信部３はレコーダ１の本体筐体が備えることとしてもよいし、リモコン１０が備えることとしてもよい。また、レコーダ１の本体筐体及びリモコン１０が共に備えることとしてもよい。図２及び図３を参照して説明する。図２に示すようにレコーダ１は本体筐体２０を備え、本体筐体２０内には後述するハードディスクドライブ６（図２では不図示）、光学ドライブ７が配される。そしてＮＦＣ通信部３は筐体２の上面２１に設けられてＮＦＣ媒体と通信を行う。なお、ＮＦＣ通信部３は筐体２の上面以外の面に設けられてもよい。特に通常の使用状態において壁面（家具の壁面や家屋の壁面）と対向することがない筐体２の前面（フロントパネル）２２に設けることとしてもよい。
【００２７】
図３に示すようにリモコン１０はボタン配置面（平面部）１００に複数のボタンが配される。ボタンとしてはレコーダ１をＯＮ／ＯＦＦさせるための電源ボタン１０１、所望のチャンネル番号を選択する操作を行うため数字ボタン１０２、音量を増減させるための音量ボタン１０３、選局チャンネルを変更するための選局ボタン１０４、録画を再生する際に所定の操作を行うための録画番組再生ボタン１０５、色により区別された項目や色による選択の表示がある場合に使用する色ボタン１０６、地上アナログ放送、地上デジタル放送、ＢＳ放送、ＣＳ放送を切り替える放送切替ボタン１０７等が配される。
【００２８】
そしてＮＦＣ通信部３はボタン配置面１００の最下部に設けられてＮＦＣ媒体と通信を行う。なお、ＮＦＣ通信部３をボタン配置面１００のどの位置に設けるかは特に限られるものではない。リモコン１０は小型且つ軽量の装置であるため容易に移動させることができ、ＮＦＣ通信部３をリモコン１０に設けることでユーザは手元でＮＦＣ媒体とＮＦＣ通信部３とを通信させることができる。
【００２９】
フラッシュメモリ４は書き換え可能な不揮発性のメモリであり、ファームウェアが格納される。また、フラッシュメモリ４は複数のＮＦＣ媒体の識別情報を記憶する。さらにフラッシュメモリ４には１又は２以上のユーザ情報が記憶される。その際、各ＮＦＣ媒体がどのユーザのＮＦＣ媒体かが併せて記憶される。言い換えればユーザとＮＦＣ媒体とが関連付けられて記憶される。
【００３０】
以下、「フラッシュメモリ４に記憶されているユーザ」を「登録ユーザ」と称し、「フラッシュメモリ４に記憶されていないユーザ」を「未登録ユーザ」と称することもある。「フラッシュメモリ４に記憶されているＮＦＣ媒体」を「登録ＮＦＣ媒体」と称し、「フラッシュメモリ４に記憶されていないＮＦＣ媒体」を「未登録ＮＦＣ媒体」と称することもある。
【００３１】
ＮＦＣ媒体とユーザの関連付けはリモコン等の操作手段を使用することとしてもよいが、例えば登録ＮＦＣ媒体をＮＦＣ通信部３と通信させ、直後（所定時間内）に未登録ＮＦＣ媒体とＮＦＣ通信部３とが通信したときに直前に通信した登録ＮＦＣ媒体と同一のユーザに関連付けることとしてもよい。
【００３２】
なお、複数のＮＦＣ媒体の識別情報は記憶媒体（記憶部）に記憶されていればよく、フラッシュメモリ４に記憶されていなくてもよい。例えば後述するハードディスク６に記憶することとしてもよい。
【００３３】
チューナ５は放送局から送信されアンテナ（不図示）によって受信された高周波信号から指示されたチャンネル番号のチャンネルの信号を選択する。そして選択された高周波信号を中間周波数の信号に変換して変換された信号を復調することによってデジタル放送された信号を取得する。
【００３４】
ハードディスク６は録画が指示されたチャンネルの番組を記憶する記憶手段である。ハードディスク６はレコーダ１に内蔵されていることとしてもよいし、外付けされている（外部記憶媒体）であってもよい。
【００３５】
光学ドライブ７はＣＤ、ＤＶＤ、ＢＤ等の光ディスクにデータを書き込み、或いは、光ディスクからデータを読み出す書込／読出手段である。
【００３６】
Ａ／Ｖインターフェース８は映像や音声などを出力するＩＦである。Ａ／Ｖインターフェースとしては映像及び音声を一本のケーブルで接続でき高品位なデジタルデータを伝送可能なＨＤＭＩや液晶ディスプレイなどのデジタル・ディスプレイ装置の為に設計されたＤｉｓｐｌａｙＰｏｒｔが例示される。
【００３７】
制御部９はレコーダ１全体を制御する制御手段である。制御部９は特定部９１、計測部９２、実行部９３を有する。なお、本実施形態ではレコーダ１が一の制御部９を備え、制御部９が特定部９１、計測部９２、実行部９３を有するものとして以下説明するが、これに限られるものではない。レコーダ１が複数の制御部を備える構成であってもよい。
【００３８】
特定部９１はＮＦＣ通信部３と通信したＮＦＣ媒体に関連付けられたユーザを特定する。上述したようにフラッシュメモリ４はユーザとＮＦＣ媒体の識別情報を関連付けて記憶している。特定部９１はフラッシュメモリ４を参照してＮＦＣ通信部３と通信したＮＦＣ媒体の識別情報に関連付けられたユーザを特定する。以下、ＮＦＣ通信部３と通信し、特定部９１により関連付けられたユーザが特定されたＮＦＣ媒体を認証済みＮＦＣ媒体とも称する。
【００３９】
計測部９２はＮＦＣ通信部３と通信し、同一のユーザに関連付けられた認証済みＮＦＣ媒体の数を計測する。ＮＦＣ通信部３と通信した認証済みＮＦＣ媒体の数の計測は所定時間内にＮＦＣ通信部３と通信した認証済みＮＦＣ媒体の数を計測すればよい。具体的には、図４に示すように、ＮＦＣ媒体とのタイムアウトループＴ１を定めて連続して通信した認証済みＮＦＣ媒体の数を計測することとしてもよいし、最初にＮＦＣ媒体と通信を行ってからタイムアウト時間Ｔ２内に通信した認証済みＮＦＣ媒体の数を計測することとしてもよい。
【００４０】
つまり計測部９２は所定時間内に連続してＮＦＣ通信部３と通信したＮＦＣ媒体が同一ユーザに関連付けられたＮＦＣ媒体である場合に限り認証済みＮＦＣ媒体の数を計測する。図４においてＮＦＣ媒体Ｐ及びＮＦＣ媒体Ｒに関連付けられたユーザとＮＦＣ媒体Ｑに関連付けられたユーザとが異なる場合を例に説明する。ＮＦＣ通信部３とＮＦＣ媒体Ｐが通信することで計測部９２は当該ユーザに関連付けられた認証済みＮＦＣ媒体の数を１と計測する。
【００４１】
次にＮＦＣ通信部３とＮＦＣ媒体Ｑが通信するとＮＦＣ媒体Ｐに関連付けられたユーザとＮＦＣ媒体Ｑに関連付けられたユーザが異なることから計測値をリセットしてＮＦＣ媒体Ｑに関連付けられたユーザの認証済みＮＦＣ媒体の数を１と計測する。
【００４２】
次にＮＦＣ通信部３とＮＦＣ媒体Ｒが通信するとＮＦＣ媒体Ｑに関連付けられたユーザとＮＦＣ媒体Ｒに関連付けられたユーザが異なることから計測値をリセットしてＮＦＣ媒体Ｒに関連付けられたユーザの認証済みＮＦＣ媒体の数を１と計測する。
【００４３】
認証済みＮＦＣ媒体の数の計測を上記のように行うことで、登録ＮＦＣ媒体の組み合わせを知らない第三者がランダムにＮＦＣ媒体をＮＦＣ通信部３と通信させて認証が行われることを防ぐことができる。
【００４４】
実行部９３はユーザとＮＦＣ媒体の数に基づいて所定の処理を実行する実行手段である。より詳説すれば実行部９３はＮＰＣ通信部３が同一ユーザに関連付けられた複数のＮＦＣ媒体と通信した場合にユーザとＮＦＣ媒体の数に基づいて所定の処理を実行する。
【００４５】
実行部９３は所定の処理として、ユーザに応じた動作制限の解除や所定の機能の実行を行う。動作制限の解除としてはパレンタルロック（視聴年齢制限付き録画番組の再生制限）の解除や視聴年齢制限付き録画番組の録画番組リストへの表示が例示される。
【００４６】
すなわち実行部９３は通常動作時（レコーダ１のユーザが未登録ユーザである場合）において、パレンタルロック（視聴年齢制限付き録画番組の再生制限）の設定や、視聴年齢制限付き録画番組を録画番組リストに表示しない等、レコーダ１の機能の一部の使用を制限する高セキュリティモードでレコーダ１を動作させる。
【００４７】
そして、レコーダ１のユーザが登録ユーザであれば、パレンタルロックを解除して、視聴年齢制限付き録画番組を再生可能とし、また、視聴年齢制限付き録画番組を録画番組リストを表示する。但し、ユーザ毎にセキュリティレベルを設定して、セキュリティレベルに応じてパレンタルロックを解除したり、視聴年齢制限付き録画番組を録画番組リストに表示する番組を変更するように動作制限を解除することとしてもよい。
【００４８】
例えば１５歳の登録ユーザに対しては１８歳以上の視聴年齢制限付きの録画番組の再生を禁止し、及び／又は、１８歳以上の視聴年齢制限付きの録画番組を録画番組リストに表示しない。また、９歳の登録ユーザに対しては１２歳以上の視聴年齢制限付きの録画番組の再生を禁止し、及び／又は、１２歳以上の視聴年齢制限付きの録画番組を録画番組リストに表示しない。
【００４９】
所定の機能の実行としては録画済み番組リストの表示の切り替えやスタンバイモードからの所望の内部設定での電源ＯＮが例示される。すなわち実行部９３は通常動作時において、録画済み番組リストに録画番組を録画日時順に並べて表示する。一方、レコーダ１のユーザが登録ユーザであれば、そのユーザがよく視聴する番組やジャンルを最も上に表示する等、録画済み番組リストにおける表示順を切り替える。ユーザがよく視聴する番組やジャンル等の情報は過去の視聴履歴に基づいて特定することとしてもよいし、ユーザ自身が設定することとしてもよい。
【００５０】
また、実行部９３はスタンバイモードから電源ＯＮ状態に移行する場合（すなわち図３に示す電源ボタンが押下された場合）には前回の稼働時の内部設定（音量や輝度等）が維持されて稼働する。一方、レコーダ１のユーザが登録ユーザであればユーザに応じた内部設定でレコーダ１を稼働する。登録ユーザに対する内部設定はユーザ自身が設定することとしてもよいし、ユーザによる過去の内部設定の変更履歴に基づいて設定することとしてもよい。
【００５１】
以下、本実施形態のレコーダ１の制御部９が実行する処理について図５を参照して説明する。
【００５２】
図５のフローチャートにおいて実行部９３はユーザと認証済みＮＦＣ媒体の数に基づいて動作制限を解除することとして説明するが、上述したように所定の機能を実行するものであってもよい。また、実行部９３はレコーダ１のユーザが登録ユーザであって、且つ、登録ユーザに関連付けられた全ての登録ＮＦＣ媒体がＮＦＣ通信部３と通信したか否かを判定して所定の処理を実行する。なお、一般にＮＦＣ媒体はＮＦＣ通信部３にかざされることでＮＦＣ通信部３と通信を行うため、以下、ＮＦＣ媒体がＮＦＣ通信部３と通信することをＮＦＣ媒体をＮＦＣ通信部３にかざすと表現することもある。
【００５３】
また、以下の説明において、レコーダ１は、成人であるユーザＸ、１７歳であるユーザＹ、４歳であるユーザＺにより共用されており、ユーザＸ及びユーザＹは登録ユーザであって、ユーザＺは未登録ユーザであるものとする。また、フラッシュメモリ４でユーザＸに関連付けて記憶されている登録ＮＦＣ媒体をＮＦＣカードＡ、ＮＦＣカードＢ、ＮＦＣ対応のＩＣチップを備える携帯電話Ｃとし、ユーザＹに関連付けて記憶されている登録ＮＦＣ媒体をＮＦＣカードＤ、ＮＦＣカードＥとする。本実施形態ではユーザＸがレコーダ１を使用しようとしているものとして説明する。
【００５４】
ステップＳ０１において制御部９はＮＦＣ通信部３を介してＮＦＣ通信部３にかざされたＮＦＣ媒体の識別情報を取得する。そしてステップＳ０２において制御部９は特定部９１に、ステップＳ０１で取得したＮＦＣ媒体の識別情報とフラッシュメモリ４に記憶されている識別情報に基づいてＮＦＣ通信部３にかざされたＮＦＣ媒体に関連付けられたユーザを特定させ、特定されたユーザをレコーダ１の使用者として特定する。例えばＮＦＣカードＡがＮＦＣ通信部３にかざされたときはユーザＸをレコーダ１の使用者であると特定する。
【００５５】
ステップＳ０３において制御部９は計測部９２にＮＦＣ媒体の数を計測させる。ステップＳ０３がステップＳ０２の後に行われた場合は、一個のＮＦＣ媒体（ＮＦＣカードＡ）しか認証されていないので認証済みＮＦＣ媒体の数を１と計測する。ステップＳ０３が後述するステップＳ０７の後に行われる場合は、前回のステップＳ０３における計測数に１を加算する。
【００５６】
ステップＳ０４において制御部９はステップＳ０３で計測された認証済みＮＦＣ媒体の数（ユーザＸのＮＦＣ媒体として認証したＮＦＣ媒体の数）がユーザＸのＮＦＣ媒体としてフラッシュメモリ４に記憶されている登録ＮＦＣ媒体の総数と等しいか否かを判定する。認証済みＮＦＣ媒体の数と登録ＮＦＣ媒体の総数が等しければ（ステップＳ０４のＹ）ステップＳ０８に進み、等しくなければ（ステップＳ０４のＮ）ステップＳ０５に進む。
【００５７】
ステップＳ０４がステップＳ０３の後に行われた場合は、一個のＮＦＣ媒体（ＮＦＣカードＡ）しか認証されていないのでステップＳ０５に進む。
【００５８】
ステップＳ０５において制御部９はステップＳ０１でＮＦＣ媒体の識別番号を取得してから所定時間以内にステップＳ０１で取得したＮＦＣ媒体の識別番号とは別のＮＦＣ媒体の識別番号を取得したか否かを判定する。新たなＮＦＣ媒体の識別番号を取得したとき（ステップＳ０５のＹ）はステップＳ０６に進み、新たなＮＦＣ媒体の識別番号を取得しなかったとき（ステップＳ０５のＮ）は処理を終了する。
【００５９】
なお、２回目以降のステップＳ０５において制御部９は前回のステップＳ０５でＮＦＣ媒体の識別番号を取得してから所定時間以内に前回以前のステップＳ０５で取得したＮＦＣ媒体の識別番号とは別のＮＦＣ媒体の識別番号を取得したか否かを判定する。
【００６０】
ステップＳ０６において制御部９は特定部９１に、ステップＳ０５で取得したＮＦＣ媒体の識別情報とフラッシュメモリ４に記憶されている識別情報に基づいてＮＦＣ通信部３にかざされたＮＦＣ媒体に関連付けられたユーザを特定させる。
【００６１】
ステップＳ０７において制御部９はステップＳ０６で特定したユーザがステップＳ０２で特定したユーザと同一ユーザであるか否かを判定する。同一ユーザであれば（ステップＳ０７のＹ）ステップＳ０３に戻り、同一ユーザでなければ（ステップＳ０７のＮ）処理を終了する。
【００６２】
以降、ユーザＸのＮＦＣ媒体として認証した認証済みＮＦＣ媒体の数がユーザＸのＮＦＣ媒体としてフラッシュメモリ４に記憶されている登録ＮＦＣ媒体の総数と等しくなるまでステップＳ０３〜ステップＳ０７を繰り返し、ＮＦＣカードＢ、携帯電話ＣがＮＦＣ通信部３にかざされて認証済みＮＦＣ媒体の数が登録ＮＦＣ媒体の総数と等しくなったときにステップＳ０８に進む。
【００６３】
ステップＳ０８において制御部９は実行部９３にステップＳ０２で特定したユーザに対応付けられた所定の処理を実行させる。例えば、本実施形態でステップＳ０２で特定されたユーザはユーザＸであるから、実行部９３は全ての録画番組の録画リストを表示する（すなわち全てのパレンタルロックを解除する）。
【００６４】
例えば、ステップＳ０２でレコーダ１を使用するユーザがユーザＹと特定され、且つ、ユーザＹに関連付けられた全てのＮＦＣ媒体がＮＦＣ通信部３にかざされた場合に実行部９３は１８歳以上の視聴年齢制限付きの録画番組を録画リストに表示しない。また、未登録ユーザであるユーザＺがレコーダ１を使用する際にはパレンタルロックが解除されず全ての視聴年齢制限付きの番組を番組リストに表示しない。
【００６５】
本実施形態によれば、通信手段と近距離無線通信媒体とが通信した場合に、特定手段によってその近距離無線通信媒体に対応付けられたユーザが特定され、計測手段によって近距離無線通信媒体の数が計測される。実行手段は特定手段によって特定されたユーザと計測手段によって計測された近距離無線通信媒体の数に基づいて所定の処理を実行する。従ってユーザに応じて処理を実行することができる。その際、ユーザと近距離無線通信媒体の数に基づいて所定の処理を実行することで、ユーザのみに基づいて所定の処理が実行されるのに比べて、高いセキュリティを確保できる。
【００６６】
また、計測手段は所定時間内に連続して通信手段と通信した近距離無線通信媒体が特定手段により同一のユーザに関連付けられた近距離無線通信媒体であると特定された場合に計測する。従って、登録ＮＦＣ媒体の組み合わせを知らない第三者がランダムにＮＦＣ媒体をＮＦＣ通信部３と通信させて認証が行われることを防ぐことができる。
【００６７】
特に本実施形態では、ＮＦＣ通信部と通信した同一ユーザに関連付けられたＮＦＣ媒体の数が、そのユーザに関連付けられた登録ＮＦＣ媒体の総数と等しくなったときに所定の処理が実行される。よってユーザが登録ユーザであれば自身が所持するＮＦＣ媒体をＮＦＣ通信部にかざすだけで簡単にレコーダの機能を利用することができるが、未登録ユーザにとっては例えば登録ユーザが置き忘れたＮＦＣ媒体の一個を利用してもレコーダの機能の一部又は全部を利用することができないので高いセキュリティが確保される。
【００６８】
なお、本実施形態ではステップＳ０４で認証済みＮＦＣ媒体の数と登録ＮＦＣ媒体の総数が等しいときにステップＳ０８に進むこととしているが、ステップＳ０４における判定は登録ＮＦＣ媒体の総数に対する所定済みＮＦＣ媒体の数が所定値以上であれば、言い換えれば登録ＮＦＣ媒体の総数−認証済みＮＦＣ媒体の数が所定値以下であるときにステップＳ０８に進むこととしてもよい。所定値が０のときが本実施形態のステップＳ０４に該当する。
【００６９】
所定値を０とすることで全ての登録ＮＦＣ媒体がなければ所定の処理を実行させることができないので最もセキュリティが高くなる。これに対して所定値が、０＜所定値、であればＮＦＣ登録媒体の内、１のＮＦＣ媒体が手元にない状態でも比較的高いセキュリティを維持したまま所定の処理を実行させることができる。なお、セキュリティの低下を防ぐ観点から所定値は、所定値≦登録ＮＦＣ媒体の総数−２（但し、登録ＮＦＣ媒体の総数≧２）、を満たすことが望ましい。
【００７０】
＜第２実施形態＞
第２実施形態のレコーダ１の制御部９が実行する処理について図６を参照して説明する。第１実施形態では認証済みＮＦＣ媒体の数と登録ＮＦＣ媒体の総数が等しくならなければ所定の処理が実行されなかったが本実施形態では認証済みＮＦＣ媒体の数と登録ＮＦＣ媒体の総数が等しくなくてもよく、認証済みＮＦＣ媒体の数に応じて所定の処理を実行する。
【００７１】
なお、第１実施形態と同様に以下の説明においてレコーダ１は、成人であるユーザＸ、１７歳であるユーザＹ、４歳であるユーザＺにより共用されており、ユーザＸ及びユーザＹは登録ユーザであって、ユーザＺは未登録ユーザであるものとする。また、フラッシュメモリ４でユーザＸに関連付けて記憶されている登録ＮＦＣ媒体をＮＦＣカードＡ、ＮＦＣカードＢ、ＮＦＣ対応のＩＣチップを備える携帯電話Ｃとし、ユーザＹに関連付けて記憶されている登録ＮＦＣ媒体をＮＦＣカードＤ、ＮＦＣカードＥとする。本実施形態ではユーザＸがレコーダ１を使用しようとしているものとして説明する。
【００７２】
ステップＳ１１において制御部９はＮＦＣ通信部３を介してＮＦＣ通信部３にかざされたＮＦＣ媒体の識別情報を取得する。そしてステップＳ１２において制御部９は特定部９１に、ステップＳ１１で取得したＮＦＣ媒体の識別情報とフラッシュメモリ４に記憶されている識別情報に基づいてＮＦＣ通信部３にかざされたＮＦＣ媒体に関連付けられたユーザを特定させ、特定されたユーザをレコーダ１の使用者として特定する。例えばＮＦＣカードＡがＮＦＣ通信部３にかざされたときはユーザＸをレコーダ１の使用者であると特定する。
【００７３】
ステップＳ１３において制御部９は計測部９２にＮＦＣ媒体の数を計測させる。ステップＳ１３がステップＳ１２の後に行われた場合は、一個のＮＦＣ媒体（ＮＦＣカードＡ）しか認証されていないので認証済みＮＦＣ媒体の数を１と計測する。ステップＳ１３が後述するステップＳ１６の後に行われる場合は、前回のステップＳ１３における計測数に１を加算する。
【００７４】
ステップＳ１４において制御部９はステップＳ１１でＮＦＣ媒体の識別番号を取得してから所定時間以内にステップＳ１１で取得したＮＦＣ媒体の識別番号とは別のＮＦＣ媒体の識別番号を取得したか否かを判定する。新たなＮＦＣ媒体の識別番号を取得したとき（ステップＳ１４のＹ）はステップＳ１５に進み、新たなＮＦＣ媒体の識別番号を取得しなかったとき（ステップＳ１４のＮ）はステップＳ１７に進む。
【００７５】
なお、２回目以降のステップＳ１４において制御部９は前回のステップＳ１４でＮＦＣ媒体の識別番号を取得してから所定時間以内に前回以前のステップＳ１４で取得したＮＦＣ媒体の識別番号とは別のＮＦＣ媒体の識別番号を取得したか否かを判定する。
【００７６】
ステップＳ１５において制御部９は特定部９１に、ステップＳ１４で取得したＮＦＣ媒体の識別情報とフラッシュメモリ４に記憶されている識別情報に基づいてＮＦＣ通信部３にかざされたＮＦＣ媒体に関連付けられたユーザを特定させる。
【００７７】
ステップＳ１６において制御部９はステップＳ１５で特定したユーザがステップＳ１２で特定したユーザと同一ユーザであるか否かを判定する。同一ユーザであれば（ステップＳ１６のＹ）ステップＳ１３に戻り、同一ユーザでなければ（ステップＳ１６のＮ）処理を終了する。
【００７８】
以降、ユーザＸのＮＦＣ媒体としてフラッシュメモリ４に記憶されているＮＦＣ媒体（登録ＮＦＣ媒体）がかざされる限りステップＳ１３〜ステップＳ１６を繰り返し、ＮＦＣ媒体（登録ＮＦＣ媒体）がかざされなくなったとき（ステップＳ１４において新たなＮＦＣ媒体の識別番号を取得しなかったとき）にステップＳ１７に進む。
【００７９】
２回目以降のステップＳ１４において制御部９は前回のステップＳ１４でＮＦＣ媒体の識別番号を取得してから所定時間以内に前回以前のステップＳ１４で取得したＮＦＣ媒体の識別番号とは別のＮＦＣ媒体の識別番号を取得したか否かを判定する。
【００８０】
なお、本実施形態ではステップＳ１６で異なるユーザのＮＦＣ媒体がかざされたときに処理を終了することとしているが、異なるユーザのＮＦＣ媒体がかざされたときに、所定時間内に同一ユーザの新たなＮＦＣ媒体がかざされなかったとして、ステップＳ１４のＮと同様にステップＳ１７に進むこととしてもよい。
【００８１】
ステップＳ１７において制御部９は実行部９３にステップＳ１２で特定したユーザ及び認証済みＮＦＣ媒体の数に基づいて所定の処理を実行させる。所定の処理の一例として、認証したＮＦＣ媒体の数によって録画番組リストのセキュリティレベル（パレンタルロックの解除レベル）を変える場合について説明する。
【００８２】
例えば、実行部９３はレコーダ１をユーザＸが使用するときに認証したＮＦＣ媒体の数が一個であるときは１２歳以上の視聴年齢制限付きの録画番組を録画リストに表示しない。認証したＮＦＣ媒体の数が二つであるときは１８歳以上の視聴年齢制限付きの録画番組を録画リストに表示しない。認証したＮＦＣ媒体の数が三つであるときは全ての録画番組の録画リストを表示する。
【００８３】
これにより一人でレコーダを使用する場合、他者（すなわちユーザＹやユーザＺ）と一緒にレコーダを使用する場合など状況によって認証するＮＦＣ媒体の数を変えることでその状況に応じたセキュリティレベルを選択することができる。
【００８４】
本実施形態によれば第１実施形態と同様の効果を奏する。特に本実施形態では、同一のユーザであってもＮＦＣ通信部と通信した認証済みＮＦＣ媒体の数に応じて処理が実行される。従って状況に応じてユーザがＮＦＣ通信部にかざすＮＦＣ媒体の数を変えることで所望の処理を実行させることができる。
【００８５】
＜第３実施形態＞
第３実施形態のレコーダ１の制御部９が実行する処理について図７を参照して説明する。上記第１実施形態及び第２実施形態ではユーザとＮＦＣ通信部３と通信した認証済みＮＦＣ媒体の数とに基づいて所定の処理を実行することとしたが、本実施形態ではユーザとＮＦＣ通信部３と通信した認証済みＮＦＣ媒体の数と認証済みＮＦＣ媒体の通信順序に基づいて所定の処理を実行することとする。
【００８６】
以下第３実施形態は第１実施形態の変形例として説明するが、第２実施形態に適用することとしてもよい。図７のフローチャートのステップＳ２１〜Ｓ２７は夫々図５のフローチャートのステップＳ０１〜Ｓ０７と同様であるため説明を省略する。但しステップＳ２４において認証済みＮＦＣ媒体の数と登録ＮＦＣ媒体の総数が等しければ（ステップＳ２４のＹ）ステップＳ２８に進む。
【００８７】
ステップＳ２８において制御部９はＮＦＣ通信部３に対する認証済みＮＦＣ媒体の通信順序を特定する。すなわち本実施形態ではユーザＸの登録ＮＦＣ媒体であるＮＦＣカードＡ、ＮＦＣカードＢ、携帯電話Ｃがどのような順序でＮＦＣ通信部３にかざされたかを特定する。
【００８８】
ステップＳ２９において制御部９は実行部９３にステップＳ２２で特定したユーザとステップＳ２８で特定したＮＦＣ通信部３に対する認証済みＮＦＣ媒体の通信順序とに基づいて所定の処理を実行させる。図８は認証済みＮＦＣ媒体の通信順序に応じたユーザＸに対する処理の一例を示す表である。
【００８９】
図８に示すようにユーザＸがＮＦＣカードＡ、ＮＦＣカードＢ、携帯電話Ｃの順に認証した場合は録画済み番組リストを表示し、ＮＦＣカードＢ、ＮＦＣカードＡ、携帯電話Ｃの順に認証した場合にはレコーダの設定を初期化し、携帯電話Ｃ、ＮＦＣカードＡ、ＮＦＣカードＢの順に認証した場合は直近の録画番組の再生を行う等としてもよい。これにより、認証を受けつつ所望の機能を実行することができる。
【００９０】
本実施形態によれば第１実施形態と同様の効果を奏する。加えて、認証済みＮＦＣ媒体の通信順序（認証順序）に応じて所定の処理を実行させることができるので利便性が高まる。
【００９１】
＜その他＞
第１実施形態のステップＳ０８、第２実施形態のステップＳ１７、第３実施形態のステップＳ２９で行われる所定の処理はレコーダ１の電源がＯＦＦされるまで実行することとしてもよいが、例えば最後にＮＦＣ通信部３にかざされたＮＦＣ媒体との通信が継続する間に限り、同一の処理を実行し、通信が切断されたときに高セキュリティ状態に戻ることとしてもよい。
【００９２】
つまりユーザは最後に認証するＮＦＣ媒体をＮＦＣ通信部３に載置することでレコーダ１に対して自身に対応付けられた所定の処理を行わせることができる。
【００９３】
また、上記各実施形態ではＮＦＣ媒体を順番にＮＦＣ通信部３にかざして認証することとしているが、ＮＦＣ通信部３が複数のＮＦＣ媒体を同時に認証可能である場合は同時に認証することとしてもよい。
【００９４】
また、上記各実施形態で計測部９２は連続して通信した認証済みＮＦＣ媒体の数を計測することとしたが、所定の基準に基づいて、不連続に通信した認証済みＮＦＣ媒体の内、同一のユーザに関連付けられた認証済みＮＦＣ媒体の数を計測することとしてもよい。例えば、タイムアウトループＴ１内において異なるユーザに関連付けられた認証済みＮＦＣ媒体と通信したとしてもその後タイムアウトループＴ１内で同一のユーザに関連付けられた認証済みＮＦＣ媒体と通信した場合にはタイムアウトループＴ１内に同一のユーザに関連付けられた認証済みＮＦＣ媒体と通信したと判定してＮＦＣ媒体の数を計測することとしてもよい。
【符号の説明】
【００９５】
１      レコーダ（電子機器）
２      リモコン受光部
３      ＮＦＣ通信部
４      フラッシュメモリ
５      チューナ
６      ハードディスク
７      光学ドライブ
８      Ａ／Ｖインターフェース
９      制御部
１０    リモコン（遠隔操作手段）
９１    特定部
９２    計測部
９３    実行部
【図１】
2014115782.tif 000003
【図２】
2014115782.tif 000004
【図３】
2014115782.tif 000005
【図４】
2014115782.tif 000006
【図５】
2014115782.tif 000007
【図６】
2014115782.tif 000008
【図７】
2014115782.tif 000009
【図８】
2014115782.tif 000010